(57)【要約】  扁平管の位置のズレを低減可能な熱交換器などを実現する。熱交換器（５）は、空気の流れる方向に対して順に配置された内側フィン群（５１）および外側フィン群（５２）と、冷媒が内部を通流する複数の扁平管（５３）と、を備え、複数の扁平管のそれぞれは、内側フィン群および外側フィン群の両方と接する。
2019244397.tif 000002
【特許請求の範囲】
【請求項１】
空気との間で熱交換を行う熱交換器であって、
前記空気の流れに対して順に配置された複数のフィン群と、
複数の前記フィン群と熱交換を行う冷媒が内部を通流する複数の扁平管と、を備え、
複数の前記扁平管のそれぞれは、複数の前記フィン群と接するように、隣接する複数の前記フィン群に跨がって形成されていることを特徴とする熱交換器。
【請求項２】
前記扁平管の、複数の前記フィン群に接する複数の領域の間の領域の少なくとも一部に、切欠き部が形成されていることを特徴とする請求項１に記載の熱交換器。
【請求項３】
前記扁平管の、複数の前記フィン群に接する複数の領域の間の領域の少なくとも一部に、薄肉部が形成されていることを特徴とする請求項１または２に記載の熱交換器。
【請求項４】
前記扁平管は、前記冷媒が通流する冷媒流路と、
前記冷媒流路から独立した中空部とを有することを特徴とする請求項１に記載の熱交換器。
【請求項５】
前記フィン群は、少なくとも第１フィン群および第２フィン群を含み、
複数の前記扁平管のそれぞれは、
前記第１フィン群を冷却する冷媒が通流する冷媒流路に冷媒を供給する第１冷媒供給パイプ、
前記第１フィン群を冷却する冷媒が通流する冷媒流路から冷媒を取り出す第１冷媒取出パイプ、
前記第２フィン群を冷却する冷媒が通流する冷媒流路に冷媒を供給する第２冷媒供給パイプ、および、
前記第２フィン群を冷却する冷媒が通流する冷媒流路から冷媒を取り出す第２冷媒取出パイプ、に接続されていることを特徴とする請求項１から４のいずれか１項に記載の熱交換器。
【請求項６】
請求項１から５のいずれか１項に記載の熱交換器を備えることを特徴とする空気調和機。
【発明の詳細な説明】
【技術分野】
【０００１】
本発明は、熱交換器、および当該熱交換器を備える空気調和機に関する。
【背景技術】
【０００２】
特許文献１に記載されている熱交換器は、風上熱交換器ユニットと風下熱交換器ユニットとを備えている。風上熱交換器ユニットおよび風下熱交換器ユニットはそれぞれ、多数の扁平管部と、多数のフィンとを備えている。当該熱交換器においては、扁平管部の長手方向に垂直であり、かつ扁平管部の面と平行な方向に空気が流れる。
【先行技術文献】
【特許文献】
【０００３】
【特許文献１】日本国特許公報「特許第５９００５６４号」
【発明の概要】
【発明が解決しようとする課題】
【０００４】
しかしながら、特許文献１に記載されている熱交換器においては、風上熱交換器ユニットの扁平管部と、風下熱交換器ユニットの扁平管部との間で、扁平管部の面に垂直な方向における位置のズレが生じる虞がある。当該ズレにより、熱交換器の通風抵抗が増加することで、（ｉ）所望の風量を得るためのエネルギーが増大する、および、（ｉｉ）騒音が増大する、といった問題が生じる。【０００５】
本発明の一態様は、扁平管の位置のズレを低減可能な熱交換器などを実現することを目的とする。
【課題を解決するための手段】
【０００６】
上記の課題を解決するために、本発明の一態様に係る熱交換器は、空気との間で熱交換を行う熱交換器であって、前記空気の流れに対して順に配置された複数のフィン群と、複数の前記フィン群と熱交換を行う冷媒が内部を通流する複数の扁平管と、を備え、複数の前記扁平管のそれぞれは、複数の前記フィン群と接するように、隣接する複数の前記フィン群に跨がって形成されている。
【発明の効果】
【０００７】
本発明の一態様によれば、扁平管の位置のズレを低減可能な熱交換器などを実現することができる。
【図面の簡単な説明】
【０００８】
【図１】実施形態１に係る熱交換器の構造を示す断面図である。
【図２】実施形態１に係る空気調和機の構成を示す図である。
【図３】実施形態１に係る空気調和機の室内機の外観を示す斜視図である。
【図４】実施形態１に係る空気調和機の室内機の内部構造を示す縦断面図である。
【図５】実施形態１に係る熱交換器の、一部分の外観を示す斜視図である。
【図６】図１に示した熱交換器のＡ−Ａ線断面図である。
【図７】図１に示した熱交換器のＢ−Ｂ線断面図である。
【図８】実施形態２に係る熱交換器の構成を示す断面図である。
【図９】実施形態３に係る熱交換器の構成を示す断面図である。
【発明を実施するための形態】
【０００９】
〔実施形態１〕
以下、本発明の一実施形態について、詳細に説明する。
【００１０】
（空気調和機１００の構成および動作）
図２は、本実施形態に係る空気調和機１００の構成を示す図である。
【００１１】
図２に示すように、空気調和機１００は、室内機１と、室外機１１と、膨張弁１２と、二方弁１３と、三方弁１４とを備えている。室内機１は、送風機４と、熱交換器６とを備えている。室外機１１は、送風機１５と、熱交換器１６と、圧縮機１７と、四方弁１８とを備えている。
【００１２】
冷房運転時の空気調和機１００において、圧縮機１７によって圧縮された高温かつ高圧の冷媒は、四方弁１８を介して熱交換器１６に送られる。ここで、図２には、四方弁１８において冷房運転時の経路を示している。冷媒は、熱交換器１６において、送風機１５が外部から吸い込んだ空気を熱交換器１６に向けて送ることによって冷却されると液化する。熱交換器１６を通過した空気は、熱交換器１６内の冷媒が液化することで放出した熱を含んだ状態で外部に排出される。
【００１３】
液化した冷媒は、膨張弁１２の微小なノズル穴から二方弁１３を介して室内機１の熱交換器６内へ噴射されることで一気に気化する。気化した冷媒が熱交換器６の周囲の熱を奪っていくことにより、熱交換器６が冷やされる。そして、送風機４が外部から取り入れた空気は、熱交換器６を通過することで冷却される。熱交換器６からの冷気は外部に放出される。熱交換器６を出た冷媒は、三方弁１４を介して圧縮機１７に戻って再び圧縮される。
【００１４】
暖房運転時の空気調和機１００において、圧縮機１７によって圧縮された高温かつ高圧の冷媒は、四方弁１８の経路が図２に示す経路から切り替わることにより、冷房時とは逆方向に流れる。これにより、冷房時とは逆のサイクルで、熱交換器６、１６による熱交換が行われる。
【００１５】
（室内機１の概要）
図３は、本実施形態に係る空気調和機の室内機（以下、単に室内機と称する）１の外観を示す斜視図である。図４は、室内機１の内部構造を示す縦断面図である。
【００１６】
なお、以降の説明で言及する左右、上下および前後は、室内機１が室内に設置される状態での向きである。
【００１７】
図３に示すように、室内機１は、本体部２と、導風板３とを備えている。導風板３は、本体部２の前面に設けられている。図４に示すように、本体部２の上部には第１吸込口２１が形成され、本体部２の下部には第２吸込口２２が形成されている。また、本体部２の内部には、送風機４および熱交換器６が設けられている。さらに、本体部２の前部には吹出口２３が形成されている。第１吸込口２１には、第１吸込口２１を開閉する開閉蓋２６が設けられている。
【００１８】
室内機１において、第１吸込口２１の内側（下側）には、第１フィルタ２４が設けられ、第２吸込口２２の内側（上側）には、第２フィルタ２５が設けられている。第１フィルタ２４は、例えばプレフィルタに相当する機能を有するフィルタである。第１フィルタ２４は、第２フィルタ２５よりも低性能であり、かつ第２フィルタ２５よりも通風抵抗が小さい。第２フィルタ２５は、例えばＨＥＰＡフィルタ(High Efficiency Particulate Air Filter)である。第２フィルタ２５は、第１フィルタ２４よりも高性能であり、かつ第１フィルタ２４よりも通風抵抗が大きいフィルタである。
【００１９】
室内機１では、第１吸込口２１から吸い込まれた空気は、第１フィルタ２４、送風機４および熱交換器６を経て吹出口２３から吹き出される。また、第２吸込口２２から吸い込まれた空気は、第２フィルタ２５、送風機４および熱交換器６を経て吹出口２３から吹き出される。
【００２０】
（熱交換器５の構成）
以下、上述した熱交換器６および１６のいずれにも適用可能な熱交換器５について説明する。
【００２１】
図１は、熱交換器５の構造を示す断面図である。具体的には、図１は、熱交換器５の、空気が流れる方向に平行な面における断面を示す図である。図５は、熱交換器５の一部分の外観を示す斜視図である。図６は、図１に示した熱交換器５のＡ−Ａ線断面図である。図７は、図１に示した熱交換器５のＢ−Ｂ線断面図である。
【００２２】
図１および図５〜図７に示すように、熱交換器５は、内側フィン群５１（フィン群、第１フィン群）と、外側フィン群５２（フィン群、第２フィン群）と、扁平管５３と、ヘッダーパイプ５４とを備える。内側フィン群５１、外側フィン群５２、および扁平管５３は、図１の紙面における奥行き方向（扁平管５３の面に垂直な方向）に複数積層されている。図５においては、内側フィン群５１は、一部を除いて省略されている。また、図５においては、外側フィン群５２は図示されていない。
【００２３】
熱交換器５は、空気との間で熱交換を行う。具体的には、内側フィン群５１は、当該内側フィン群５１の間を通過する空気との間で熱交換を行う。同様に、外側フィン群５２は、当該外側フィン群５２の間を通過する空気との間で熱交換を行う。内側フィン群５１および外側フィン群５２は、例えばコルゲートフィンであってよい。内側フィン群５１および外側フィン群５２は、熱交換器５における、室内機１の左右方向の全体にわたって配される。
【００２４】
内側フィン群５１および外側フィン群５２は、空気の流れに対して順に配置される。ここでいう「順に配置される」とは、（ｉ）内側フィン群５１および外側フィン群５２の一方が他方よりも空気の流れにおける上流側に配置される、または（ｉｉ）内側フィン群５１および外側フィン群５２が空気の流れに沿って直列に配置される、と表現することもできる。また、外側フィン群５２は、内側フィン群５１よりも、送風機４から離隔して配置される。このため、送風機４から送り出された空気は、まず内側フィン群５１と接触し、その後で外側フィン群５２と接触する。
【００２５】
扁平管５３は、内側フィン群５１および外側フィン群５２と熱交換を行う冷媒が内部を通流する部材である。扁平管５３の内部には、室内機１の左右方向に平行な、複数のチャネル５３３（冷媒流路）が形成されている。チャネル５３３は、冷媒が通流する流路である。冷媒としては、一般的な熱交換器において用いられるものを、特に制限なく用いることができる。
【００２６】
扁平管５３は、内側フィン群５１および外側フィン群５２の両方に接触するように、内側フィン群５１および外側フィン群５２に跨がって形成されている。以下の説明では、扁平管５３の、内側フィン群５１と接触する領域を、内側領域５３１と称する。また、扁平管５３の、外側フィン群５２と接触する領域を、外側領域５３２と称する。内側領域５３１に対応するチャネル５３３は、内側フィン群５１を冷却する冷媒が通流する流路である。また、外側領域５３２に対応するチャネル５３３は、外側フィン群５２を冷却する冷媒が通流する流路である。扁平管５３のそれぞれは、両面で内側フィン群５１および外側フィン群５２に接する。
【００２７】
複数のチャネル５３３は、内側領域５３１および外側領域５３２のそれぞれに対応する位置に設けられている。内側領域５３１に対応する位置に設けられているチャネル５３３と、外側領域５３２に対応する位置に設けられているチャネル５３３と、は互いに独立している。すなわち、内側フィン群５１を冷却する冷媒が通流するチャネルと、外側フィン群５２を冷却する冷媒が通流するチャネルとは互いに独立している。ここでいう「互いに独立している」とは、互いに連通していないことを意味する。
【００２８】
図６および図７に示す例では、１つの扁平管５３について、チャネル５３３は、内側領域５３１および外側領域５３２のそれぞれに４本ずつ設けられている。ただし、チャネル５３３の数はこれに限定されない。また、内側領域５３１に対応して設けられるチャネル５３３の数と、外側領域５３２に対応して設けられるチャネル５３３の数と、が互いに異なっていてもよい。
【００２９】
また、扁平管５３の、内側領域５３１と外側領域５３２と（複数の領域）の間の領域には、切欠き部５３４が形成されている。切欠き部５３４は、室内機１の左右方向に沿って複数形成される。切欠き部５３４の数、形状およびサイズは特に制限されず、内側領域５３１と外側領域５３２との間の領域の、少なくとも一部に形成されていればよい。
【００３０】
例えば特許文献１に開示されているような、従来の熱交換器においては、熱交換器の組み立て時のバラツキなどにより、空気の流れる方向に対して垂直な方向において、これらの扁平管の間で位置のズレが生じる虞があった。
【００３１】
本実施形態の熱交換器５においては、扁平管５３が内側フィン群５１および外側フィン群５２の両方に接触するように、隣接する前記フィン群に跨がって形成されているため、上述した位置のズレが生じる虞が低減される。このため、熱交換器５において、当該位置のズレに起因する熱交換器５の通風抵抗の増大が抑制される。したがって、室内機１においては、上記のズレに起因する、（ｉ）所望の風量を得るために必要なエネルギーの増加、および（ｉｉ）所望の風量を得る場合における騒音の増大がなくなる。さらに、本実施形態の熱交換器５によれば、内側フィン群５１および外側フィン群５２の位置合わせ自体が不要となるため、熱交換器５の生産に要する工数も削減される。
【００３２】
ヘッダーパイプ５４は、チャネル５３３と連通するパイプである。ヘッダーパイプ５４は、内側供給パイプ５４１（第１冷媒供給パイプ）、内側取出パイプ５４２（第１冷媒取出パイプ）、外側供給パイプ５４３（第２冷媒供給パイプ）、および外側取出パイプ５４４（第２冷媒取出パイプ）を含む。複数の扁平管５３のそれぞれは、内側供給パイプ５４１、内側取出パイプ５４２、外側供給パイプ５４３、および外側取出パイプ５４４に接続されている。
【００３３】
内側供給パイプ５４１および内側取出パイプ５４２は、扁平管５３の内側領域５３１の、室内機１の左右方向における両端に配される。内側供給パイプ５４１は、内側フィン群５１を冷却する冷媒が通流するチャネル５３３（すなわち内側領域５３１に対応するチャネル５３３）に冷媒を供給するためのパイプである。内側取出パイプ５４２は、内側フィン群５１を冷却する冷媒が通流するチャネル５３３から冷媒を取り出すためのパイプである。
【００３４】
外側供給パイプ５４３および外側取出パイプ５４４は、扁平管５３の外側領域５３２の、室内機１の左右方向における両端に配される。外側供給パイプ５４３は、外側フィン群５２を冷却する冷媒が通流するチャネル５３３（すなわち外側領域５３２に対応するチャネル５３３）に冷媒を供給するためのパイプである。外側取出パイプ５４４は、外側フィン群５２を冷却する冷媒が通流するチャネル５３３から冷媒を取り出すためのパイプである。
【００３５】
上述したとおり、送風機４から送り出された空気は、先に内側フィン群５１と接触し、次に外側フィン群５２と接触する。このため、熱交換器５により空気を冷却する場合に、内側フィン群５１は外側フィン群５２よりも高温になる。同じ理由で、外側取出パイプ５４４から取り出される冷媒は、内側取出パイプ５４２から取り出される冷媒よりも低温になる。したがって、外側取出パイプ５４４から取り出される冷媒は、内側取出パイプ５４２から取り出される冷媒と比較して、容易に再利用できる。
【００３６】
上述したとおり、熱交換器５において、扁平管５３は、内側フィン群５１および外側フィン群５２の両方と接触する。このため、扁平管５３において内側領域５３１から外側領域５３２へ熱が移動し、外側取出パイプ５４４から取り出される冷媒の温度が上昇すると、当該冷媒の再利用の効率が低下する虞がある。
【００３７】
そこで、本実施形態の扁平管５３においては、上述したとおり、内側領域５３１と外側領域５３２との間に切欠き部５３４が形成されている。切欠き部５３４は、内側領域５３１から外側領域５３２への熱の移動を阻害する。このため、扁平管５３においては、切欠き部５３４が形成されない場合と比較して、外側取出パイプ５４４から取り出される冷媒の温度上昇が抑制される。したがって、熱交換器５においては、当該冷媒を効率的に再利用できる。
【００３８】
また、熱交換器５により空気を冷却する場合、内側フィン群５１、外側フィン群５２および扁平管５３の表面に水滴が付着する。熱交換器５においては、当該水滴は、切欠き部５３４から下方に排水される。
【００３９】
なお、本発明の一態様においては、扁平管５３に切欠き部５３４が形成されていなくてもよい。
【００４０】
また、本発明の一態様においては、熱交換器５は、内側フィン群５１および外側フィン群５２以外の、空気に対して順に配置されたフィン群をさらに備えていてもよい。この場合にも、扁平管５３は、内側フィン群５１、外側フィン群５２、およびさらに他のフィン群のうちの２以上と接するように、隣接する複数のフィン群に跨がって形成される。
【００４１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４２】
図８は、本実施形態に係る熱交換器５Ａの構成を示す断面図である。具体的には、図８は、熱交換器５Ａの、室内機１の左右方向に垂直な面における断面を示す図である。なお、図８においては、内側フィン群５１および外側フィン群５２は省略されている。
【００４３】
図８に示すように、熱交換器５Ａは、扁平管５３の代わりに扁平管５３Ａを備える点で熱交換器５と相違する。扁平管５３Ａは、切り欠き５３４ではなく中空部５３５が形成されている点で扁平管５３と相違する。中空部５３５は、内側領域５３１と外側領域５３２との間に位置する領域に形成されている。中空部５３５は、チャネル５３３から独立しており、ヘッダーパイプ５４と接続されていない。このため、冷媒は中空部５３５を流れない。
【００４４】
扁平管５３Ａにおいては、中空部５３５により、内側領域５３１から外側領域５３２への熱の移動が阻害される。したがって、熱交換器５Ａにおいても、外側取出パイプ５４４から取り出される冷媒の、再利用の効率の低下が抑制される。
【００４５】
〔実施形態３〕
本発明の他の実施形態について、以下に説明する。
【００４６】
図９は、本実施形態に係る熱交換器５Ｂの構成を示す断面図である。具体的には、図９は、熱交換器５Ｂの、室内機１の左右方向に垂直な面における断面を示す図である。なお、図９においては、内側フィン群５１および外側フィン群５２は省略されている。
【００４７】
図９に示すように、熱交換器５Ｂは、扁平管５３の代わりに扁平管５３Ｂを備える点で熱交換器５と相違する。扁平管５３Ｂは、内側領域５３１と外側領域５３２との間の領域に、切り欠き５３４ではなく、扁平管５３Ｂの他の箇所よりも薄い部分である薄肉部５３６が形成されている点で扁平管５３と相違する。薄肉部５３６は、室内機１の左右方向に連続的に形成される。薄肉部５３６は、内側領域５３１と外側領域５３２との間の領域の、室内機１の左右方向の全体に形成される必要はなく、少なくとも一部に形成されていればよい。
【００４８】
扁平管５３Ｂにおいては、薄肉部５３６により、内側領域５３１から外側領域５３２への熱の移動が阻害される。したがって、熱交換器５Ｂにおいても、外側取出パイプ５４４から取り出される冷媒の、再利用の効率の低下が抑制される。
【００４９】
また、本実施形態の扁平管５３Ｂにおいては、室内機１の左右方向に複数の薄肉部５３６が断続的に形成されるとともに、複数の薄肉部５３６の間には、扁平管５３Ｂの他の箇所よりも分厚い部分である厚肉部が形成されてもよい。
【００５０】
室内機１の左右方向に、連続的に薄肉部５３６を形成した場合、扁平管５３Ｂの強度が低下する虞がある。薄肉部５３６を断続的に形成し、薄肉部５３６の間に厚肉部を形成することで、内側領域５３１から外側領域５３２への熱の移動を阻害し、かつ扁平管５３Ｂの強度の低下を抑制することができる。
【００５１】
また、扁平管５３Ｂに複数の薄肉部５３６が断続的に形成される場合において、複数の薄肉部５３６の間に切欠き部がさらに形成されてもよい。この場合、内側領域５３１から外側領域５３２への熱の移動が、薄肉部５３６だけが形成されている構成と比較して、さらに抑制される。さらに、扁平管５３Ｂに切欠き部が形成される場合には、扁平管５３と同様、当該切欠き部から水滴を排水することができる。
【００５２】
〔まとめ〕
本発明の態様１に係る熱交換器（５）は、空気との間で熱交換を行う熱交換器であって、前記空気の流れに対して順に配置された複数のフィン群（内側フィン群５１、外側フィン群５２）と、複数の前記フィン群と熱交換を行う冷媒が内部を通流する複数の扁平管（５３）と、を備え、複数の前記扁平管のそれぞれは、複数の前記フィン群と接するように、隣接する複数の前記フィン群に跨がって形成されている。
【００５３】
上記の構成によれば、熱交換器において、複数の扁平管のそれぞれが、空気の流れに対して順に配置された複数のフィン群と接するように、隣接する複数のフィン群に跨がって形成されている。このため、複数のフィン群に対してそれぞれ別個の扁平管が接する構成と比較して、扁平管の位置のズレを低減できる。
【００５４】
本発明の態様２に係る熱交換器は、上記態様１において、前記扁平管の、複数の前記フィン群に接する複数の領域の間の領域の、少なくとも一部に切り欠き部を有してもよい。
【００５５】
本発明の態様３に係る熱交換器は、上記態様１または２において、前記扁平管の、複数の前記フィン群に接する複数の領域の間の領域の、少なくとも一部に薄肉部を有してもよい。
【００５６】
本発明の態様４に係る熱交換器は、上記態様１において、前記扁平管は、前記冷媒が通流する冷媒流路と、前記冷媒流路から独立した中空部とを有してもよい。
【００５７】
これらの構成によれば、複数の前記フィン群に接する領域の間での熱の移動が抑制される。したがって、温度の低い冷媒について、再利用が容易になる。
【００５８】
本発明の態様５に係る熱交換器は、上記態様１から４のいずれかにおいて、前記フィン群は、少なくとも第１フィン群および第２フィン群を含み、複数の前記扁平管のそれぞれは、前記第１フィン群を冷却する冷媒が通流する冷媒流路に冷媒を供給する第１冷媒供給パイプ、前記第１フィン群を冷却する冷媒が通流する冷媒流路から冷媒を取り出す第１冷媒取出パイプ、前記第２フィン群を冷却する冷媒が通流する冷媒流路に冷媒を供給する第２冷媒供給パイプ、および、前記第２フィン群を冷却する冷媒が通流する冷媒流路から冷媒を取り出す第２冷媒取出パイプ、に接続されていてもよい。
【００５９】
上記の構成によれば、扁平管は、それぞれのフィン群を冷却するための冷媒を供給するパイプおよび冷媒を取り出すためのパイプと接続される。したがって、冷媒の流量を増大させ、冷却効率を向上させることができる。
【００６０】
本発明の態様６に係る空気調和機は、上記態様１から５のいずれかの熱交換器を備える。
【００６１】
上記の構成によれば、態様１と同様の効果を奏する。
【００６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６３】
１  室内機（空気調和機）
５  熱交換器
５１  内側フィン群（フィン群）
５２  外側フィン群（フィン群）
５３  扁平管
５３３  チャネル（冷媒流路）
５３４  切欠き部
５３５  中空部
５３６  薄肉部
【図１】
2019244397.tif 000003
【図２】
2019244397.tif 000004
【図３】
2019244397.tif 000005
【図４】
2019244397.tif 000006
【図５】
2019244397.tif 000007
【図６】
2019244397.tif 000008
【図７】
2019244397.tif 000009
【図８】
2019244397.tif 000010
【図９】
2019244397.tif 000011
【国際調査報告】
2019244397.tif 000012
2019244397.tif 000013
2019244397.tif 000014
2019244397.tif 000015